(57)【特許請求の範囲】
【請求項１】
吊るした衣類に部屋の中の空気を循環して風を送る送風手段と、前記送風手段を制御する制御手段を備え、前記送風手段により部屋の内部の任意の位置に循環された空気の風向を変更する風向変更手段を備え、前記風向変更手段は複数の風向変更板を備えて駆動手段に連結され、前記風向変更手段の回転軸の方向から見ると前記風向変更板は円形となっており、前記風向変更手段の外周に円弧の板状である複数の案内板を備え、前記風向変更手段は循環風を吹き出す開口部を備え、前記送風手段が動作して部屋の中の空気が循環して衣類を乾燥する際に前記風向変更手段が前記駆動手段により回転して風向を変更し、
二つの風向変更手段を備え、各々の前記風向変更手段は対称に配置され、各々の前記風向変更手段は複数の風向変更板と一体であり、回転自在な回転連結軸と前記回転連結軸の両端に保持部と中央保持部を備え、一方の前記保持部は前記回転連結軸を回転するための駆動手段と連結され、前記中央保持部は二つの前記風向変更手段を連結するように備え、前記保持部側では回転軸に対して傾斜角度を備えて風向変更板が回転連結軸に固定され、前記中央保持部側では回転軸に対して略垂直に風向変更板が回転連結軸に固定する衣類乾燥装置。
【請求項２】
複数の案内板に連結する案内板駆動手段を備え、前記案内板駆動手段により複数の前記案内板が対称に動作して、風向変更手段の開口部の面積が可変する請求項１記載の衣類乾燥装置。
【請求項３】
複数の案内板が同時に同じ回転の方向に動作して、送風手段から送り出される循環風の方向が前記案内板の回転の方向に可変する請求項１または２記載の衣類乾燥装置。
【請求項４】
複数の案内板が送風手段を動作しないときは開口部の蓋をする請求項１から３いずれか１項に記載の衣類乾燥装置。
【請求項５】
二つの風向変更手段をそれぞれ逆の回転方向に往復可動する請求項１記載の衣類乾燥装置。
【請求項６】
衣類の表面温度を検知する放射温度検知手段を備え、前記放射温度検知手段により複数箇所の温度を検知して、複数箇所の温度を比較して、平均よりも温度が低いところに風向を向ける請求項１から５いずれか１項に記載の衣類乾燥装置。
【請求項７】
放射温度検知手段により複数箇所の温度を検知して、複数箇所の温度を比較して、温度差が少ない場合は、全体に風向を向ける請求項６記載の衣類乾燥装置。
【請求項８】
衣類の乾燥に利用する際に熱を与える加熱手段を備え、使用者が衣類の乾燥が終了するまでの目標終了時間及び運転開始を指示するための操作部を備え、前記操作部からの指示および放射温度検知手段の検知信号より衣類の乾燥状態を判断する判断手段を備え、前記判断手段により前記加熱手段の動作の有無を判断する請求項６または７記載の衣類乾燥装置。
【請求項９】
換気手段を備えた請求項１から８いずれか１項に記載の衣類乾燥装置。
【発明の詳細な説明】
【技術分野】
【０００１】
本発明は、一般的な住宅において衣類を乾燥させる目的で使用される衣類乾燥装置に関するものである。
【背景技術】
【０００２】
洗濯後の衣類は、屋外で干され、日光による乾燥が一般的であった。しかし近年共働き世帯や単身世帯が増加し、夜に洗濯をしたり盗難を防いだりするために室内や浴室で衣類を乾燥させるケースが増えている。
【０００３】
衣類を室内で乾燥させる場合、加熱、送風、換気の機能を持った浴室換気乾燥機や除湿、送風の機能を持った除湿機などの衣類乾燥装置を用いることがある。
【０００４】
強制的に加熱、送風、換気、除湿などを組み合わせて行うことにより、何も使用しないで室内に放置して乾燥させる場合よりも短時間で衣類が乾燥するためである。
【０００５】
しかし、従来の衣類乾燥装置の風向変更手段では、十分な範囲に送風することができていなかった。
【０００６】
以下、従来の衣類乾燥装置の一例について図２１および図２２を参照しながら説明する。
【０００７】
図２１および図２２に示すように、本体に給気口１０１を設け、除湿手段１０２または加熱手段１０３を備え、送風を行う送風手段１０４を備え、送風された吹出風の風向を変化させる風向変更手段１０５を備え、風向変更手段１０５を回転駆動させる駆動手段１０６を備えた衣類乾燥装置がある。
【０００８】
これは、送風手段１０４を作動させて、給気口１０１から空気を流入して、空気を除湿手段１０２で除湿または加熱手段１０３で加熱させ、除湿された空気または加熱された空気を風向変更手段１０５と駆動手段１０６により、風向を変化させながら衣類を乾燥させるものである。
【特許文献１】特開平７ー１３９７５９号公報
【発明の開示】
【発明が解決しようとする課題】
【０００９】
このような従来の衣類乾燥装置では、吹出口から吹出される空気の方向が回転軸に対して左右方向に変化するだけであるため、回転方向に変化せず、回転方向に広がった衣類の端まで風を当てることができないという課題があり、風向を回転方向にも動作させて衣類に風を当てることが要求されている。
【００１０】
本発明は、このような従来の課題を解決するものであり、吹出口から吹出される空気の方向を回転軸方向および回転方向に自在に可変できることができ、衣類に風を当てることができる衣類乾燥装置を提供することを目的としている。
【課題を解決するための手段】
【００１１】
本発明の衣類乾燥装置は、上記目標を達成するために、吊るした衣類に部屋の中の空気を循環して風を送る送風手段と、前記送風手段を制御する制御手段を備え、前記送風手段により部屋の内部の任意の位置に循環された空気の風向を変更する風向変更手段を備え、前記風向変更手段は複数の風向変更板を備えて駆動手段に連結され、前記風向変更手段の回転軸の方向から見ると前記風向変更板は円形となっており、前記風向変更手段の外周に円弧の板状である複数の案内板を備え、前記風向変更手段は循環風を吹き出す開口部を備え、前記送風手段が動作して部屋の中の空気が循環して衣類を乾燥する際に前記風向変更手段が前記駆動手段により回転して風向を変更し、二つの風向変更手段を備え、各々の前記風向変更手段は対称に配置され、各々の前記風向変更手段は複数の風向変更板と一体であり、回転自在な回転連結軸と前記回転連結軸の両端に保持部と中央保持部を備え、一方の前記保持部は前記回転連結軸を回転するための駆動手段と連結され、前記中央保持部は二つの前記風向変更手段を連結するように備え、前記保持部側では回転軸に対して傾斜角度を備えて風向変更板が回転連結軸に固定され、前記中央保持部側では回転軸に対して略垂直に風向変更板が回転連結軸に固定するものである。
【００１２】
この手段により吹出口から吹出される空気の方向を回転軸方向および回転方向に自在に可変できることができる衣類乾燥装置が得られる。また、この手段により二つの風向変更手段を動作させることで、風の方向を回転軸に対して左右方向に集中して送風することができ、風の方向を放射状に拡散させ、かつ中央部分に集中させることができることができる衣類乾燥装置が得られる。
【００１７】
また他の手段は、複数の案内板に連結する案内板駆動手段を備え、前記案内板駆動手段により複数の前記案内板が対称に動作して、風向変更手段の開口部の面積が可変するものである。
【００１８】
この手段により案内板を対称に動作させて、循環する風の風速を増速させ、かつ範囲を拡大させることができることができる衣類乾燥装置が得られる。
【００１９】
また他の手段は、複数の案内板が同時に同じ回転の方向に動作して、送風手段から送り出される循環風の方向が案内板の回転の方向に可変するものである。
【００２０】
この手段により案内板が同時に同じ方向に回転して、風の方向を回転方向に可変できることができる衣類乾燥装置が得られる。
【００２１】
また他の手段は、複数の案内板が送風手段を動作しないときは開口部の蓋をするものである。
【００２２】
この手段により未使用時に大きなごみなどの混入を防止するため、送風手段を動作しないときは蓋を閉めることができることができる衣類乾燥装置が得られる。
【００２５】
また他の手段は、二つの風向変更手段をそれぞれ逆の回転方向に往復可動するものである。
【００２６】
この手段により二つの風向変更手段を逆の方向に回転させることで、衣類に満遍なく風を当てることができることができる衣類乾燥装置が得られる。
【００２７】
また他の手段は、衣類の表面温度を検知する放射温度検知手段を備え、前記放射温度検知手段により複数箇所の温度を検知して、複数箇所の温度を比較して、温度が低いところに風向を向けるものである。この手段により衣類の表面温度を検知することで衣類の乾燥状態を把握し、平均よりも温度が低い箇所をまだ乾燥していない箇所と認識して風を当てることができることができる衣類乾燥装置が得られる。
【００２８】
また他の手段は、放射温度検知手段により複数箇所の温度を検知して、複数箇所の温度を比較して、温度差が少ない場合は、全体に風向を向けるものである。
【００２９】
この手段により衣類の表面温度を検知することで衣類の乾燥状態を把握し、温度があまり変化がなければ乾燥ムラが発生していないと判断し、全体に風を拡散させることができることができる衣類乾燥装置が得られる。
【００３０】
また他の手段は、衣類の乾燥に利用する際に熱を与える加熱手段を備え、使用者が衣類の乾燥が終了するまでの目標終了時間及び運転開始を指示するための操作部を備え、前記操作部からの指示および放射温度検知手段の検知信号より衣類の乾燥状態を判断する判断手段を備え、前記判断手段により前記加熱手段の動作の有無を判断するものである。
【００３１】
この手段により衣類を乾燥させたい時間を使用者が設定して、目標時間までに送風手段と風向変更手段だけで乾燥ができないと判断された場合は、加熱手段を使って乾燥することができることができる衣類乾燥装置が得られる。
【００３２】
また他の手段は、換気手段を備えたものである。この手段により送風手段と風向変更手段に加えて、換気手段を使用することで衣類が乾燥する際に放出される水分を屋外に排気することができることができる衣類乾燥装置が得られる。
【発明の効果】
【００３３】
本発明によれば風向変更手段を駆動モータの回転角度だけで位置を制御することができ、風向の変更が容易にでき、衣類に偏りなく送風することができるため、乾燥効率を向上でき、短時間かつ省エネにできるという効果のある衣類乾燥装置を提供できる。
【００３４】
また、風向変更手段を駆動モータの回転角度だけで位置を制御することで風向の変更ができるため、衣類全体を乾かす場合は風を放射状に拡散させ、竿の中央部分に干してある衣類を乾燥させる場合は風を中央付近に集中させることができ、乾燥効率を向上でき、短時間かつ省エネにできるという効果のある衣類乾燥装置を提供できる。
【００３５】
また、左右方向に集中して送風することで、竿の両端に干してある衣類が乾燥しにくい場合は、集中して送風することで乾燥効率を向上でき、短時間かつ省エネにできるという効果のある衣類乾燥装置を提供できる。
【００３６】
また、送風手段から離れている箇所で乾きにくい衣類がある場合は、循環する風の風速を増速させることで、風を到達させることで乾燥効率を向上でき、短時間かつ省エネにできるという効果のある衣類乾燥装置を提供できる。
【００３７】
また、竿を２本使用して衣類を乾燥する場合でも、広範囲に風向を向けることができるため乾燥効率を向上でき、短時間かつ省エネにできるという効果のある衣類乾燥装置を提供できる。
【００３８】
また、大きなごみなどの異物の混入を防止して、装置の故障原因を少なくするという効果のある衣類乾燥装置を提供できる。
【００４１】
また、乾燥していない衣類を探し出し、乾燥していない衣類に集中して風を当てることで効率的に乾燥ができるという効果のある衣類乾燥装置を提供できる。
【００４２】
また、衣類が乾燥状態を判断して、衣類に乾燥ムラがないときは広範囲に風を分散させて、効率的に乾燥ができるという効果のある衣類乾燥装置を提供できる。
【００４３】
また、最初から加熱手段を使用するよりも、省エネにすることができるという効果のある衣類乾燥装置を提供できる。
【００４４】
また、衣類の周囲をできるだけ低湿度にすることができ、効率的に乾燥ができるという効果のある衣類乾燥装置を提供できる。
【発明を実施するための最良の形態】
【００４５】
本発明の請求項１記載の発明は、吊るした衣類に部屋の中の空気を循環して風を送る送風手段と、前記送風手段を制御する制御手段を備え、前記送風手段により部屋の内部の任意の位置に循環された空気の風向を変更する風向変更手段を備え、前記風向変更手段は複数の風向変更板を備えて駆動手段に連結され、前記風向変更手段の回転軸の方向から見ると前記風向変更板は円形となっており、前記風向変更手段の外周に円弧の板状である複数の案内板を備え、前記風向変更手段は循環風を吹き出す開口部を備え、前記送風手段が動作して部屋の中の空気が循環して衣類を乾燥する際に前記風向変更手段が前記駆動手段により回転して風向を変更するものであり、風向変更手段を備えることで、風の方向が回転軸に対して左右方向に可変でき、更に案内板を備えることで回転方向にも風の方向を可変できるという作用を有する。また、二つの風向変更手段を備え、各々の前記風向変更手段は対称に配置され、各々の前記風向変更手段は複数の風向変更板と一体であり、回転自在な回転連結軸と前記回転連結軸の両端に保持部と中央保持部を備え、一方の前記保持部は前記回転連結軸を回転するための駆動手段と連結され、前記中央保持部は二つの前記風向変更手段を連結するように備え、前記保持部側では回転軸に対して傾斜角度を備えて風向変更板が回転連結軸に固定され、前記中央保持部側では回転軸に対して略垂直に風向変更板が回転連結軸に固定するものであり、二つの風向変更手段を駆動手段を用いて回転させることで、風の方向を回転軸に対して左右方向に集中して送風することができ、かつ、風の方向を放射状に拡散させたり、中央部分に集中させることができるという作用を有する。
【００４８】
また、本発明の請求項２記載の発明は、複数の案内板に連結する案内板駆動手段を備え、前記案内板駆動手段により複数の前記案内板が対称に動作して、風向変更手段の開口部の面積が可変するものであり、案内板を対称に動作させて、循環する風の風速を増速させたり、範囲を拡大させることができるという作用を有する。
【００４９】
また、本発明の請求項３記載の発明は、複数の案内板が同時に同じ回転の方向に動作して、送風手段から送り出される循環風の方向が案内板の回転の方向に可変するものであり、案内板が同時に同じ方向に回転して、風の方向を回転方向に可変できるという作用を有する。
【００５０】
また、本発明の請求項４記載の発明は、複数の案内板が送風手段を動作しないときは前記開口部の蓋をするものであり、未使用時に大きなごみなどの混入を防止するため、送風手段を動作しないときは案内板を利用して開口部の蓋を閉めることができるという作用を有する。
【００５２】
また、本発明の請求項５記載の発明は、二つの風向変更手段をそれぞれ逆の回転方向に往復可動するものであり、二つの風向変更手段を逆の方向に回転させることで、衣類に満遍なく風を当てることができるという作用を有する。
【００５３】
また、本発明の請求項６記載の発明は、衣類の表面温度を検知する放射温度検知手段を備え、前記放射温度検知手段により複数箇所の温度を検知して、複数箇所の温度を比較して、温度が低いところに風向を向けるものであり、衣類の表面温度を検知することで衣類の乾燥状態を把握し、温度が低い箇所をまだ乾燥していない箇所と認識して風を当てることができるという作用を有する。
【００５４】
また、本発明の請求項７記載の発明は、放射温度検知手段により複数箇所の温度を検知して、複数箇所の温度を比較して、温度差が少ない場合は、全体に風向を向けるものであり、衣類の表面温度を検知することで衣類の乾燥状態を把握し、温度があまり変化がなければ乾燥ムラが発生していないと判断し、全体に風を拡散させることができるという作用を有する。
【００５５】
また、本発明の請求項８記載の発明は、衣類の乾燥に利用する際に熱を与える加熱手段を備え、使用者が衣類の乾燥が終了するまでの目標終了時間及び運転開始を指示するための操作部を備え、前記操作部からの指示および放射温度検知手段の検知信号より衣類の乾燥状態を判断する判断手段を備え、前記判断手段により前記加熱手段の動作の有無を判断するものであり、衣類を乾燥させたい時間を使用者が設定して、目標時間までに送風手段と風向変更手段だけで乾燥ができないと判断された場合は加熱手段を使って乾燥することができるという作用を有する。
【００５６】
また、本発明の請求項９記載の発明は、換気手段を備えたものであり、送風手段と風向変更手段に加えて、換気手段を使用することで衣類が乾燥する際に放出される水分を屋外に排気することができるという作用を有する。
【００５７】
以下、本発明の実施の形態および参考の形態について図面を参照しながら説明する。
【００５８】
（参考の形態１）
図１は本発明の参考の形態１の使用例を示す構造図、図２は同側断面図、図３は同回転軸の方向から見た風向変更手段の側面図、図４および図５は同風向変更手段の左および右方向の風向変更状況を示す断面図である。
【００５９】
まず参考の形態１の構成について説明する。
【００６０】
図１および図２に示すように、一例として、浴室の中の対向する面に保持された竿を用意し、竿に複数の洗濯後の濡れた衣類を吊るして、浴室の中の空気を循環して風を送る送風手段１（一例としてシロッコファン）と、送風手段を制御する制御手段２（一例として制御基板）を備え、送風手段１により浴室の内部の衣類のある位置に循環された空気の風向を向ける風向変更手段３（一例としてルーバー）を備え、風向変更手段３は駆動手段４（一例としてステッピングモータ）に連結された構成となっている。
【００６１】
ここで、図２に示すように、風向変更手段３は、風向変更手段３の回転軸５の方向から見ると円形となっている。
【００６２】
そして、図１から図３に示すように、風向変更手段３の外周部に回転軸５を中心とした複数の全周でない円弧の板状である案内板６を備え、送風手段１を動作させて浴室の中の空気を循環させて衣類を乾燥させる際に、風向変更手段３が駆動手段４により回転することで、風向変更手段３により風向が変わり、衣類のいろいろな箇所に風が当たるようになっている。
【００６３】
図３に示すように、風向変更手段３は、例えば一例として回転自在な回転連結軸７とその両端に保持部８を備え、一方の保持部８は回転連結軸７を回転するための駆動手段４と連結され、もう一方の保持部９は回転連結軸７を支える支持部１０を備えて、回転軸５に対して一例として３０度の傾斜角度を備えて複数の風向変更板１１が回転連結軸７に固定されている。
【００６４】
次に参考の形態１の動作について説明する。
【００６５】
図４および図５に示すように、駆動手段４が動作して、回転連結軸７が回転すると、風向変更板１１を通過して衣類を乾燥させるための風は風向を次第に変化させ、風向は左右に往復する。
【００６６】
例えば、風向を右に向けたいときは、図５に示すように回転連結軸７を回転させて、風向が右に向いたときに駆動手段４を停止すればよく、風向を左に向けたいときは、図６のように回転連結軸７を回転させて、風向が左に向いたときに駆動手段４を停止すればよい。
【００６７】
更に、図３に示すように回転連結軸７の回転と連動させて案内板６を手動で回転させることで風向を回転方向にも変更することができる。
【００６８】
（参考の形態２）
本発明の参考の形態２は、参考の形態１と同一部分については同一番号を付し、詳細な説明は省略する。
【００６９】
図６は本発明の実施の形態２の中央に送風を集中させた状態を示す正面図、図７は同断面図、図８は同左右方向に送風を分散させた状態を示す正面図、図９は同断面図である。
【００７０】
まず参考の形態２の構成について説明する。
【００７１】
図６から図９に示すように、風向変更手段３は、複数の風向変更板１１を備え、風向変更手段３の開口部２１の中央付近では回転軸５に対して一例として約９０度の略垂直に風向変更板１１が回転連結軸７に固定され、風向変更手段３の開口部２１の両端側では回転軸５に対して一例として３０度から８０度ほどの傾斜角度を徐々に変化して風向変更板が回転連結軸に固定する構成となっている。
【００７２】
次に参考の形態２の動作について説明する。
【００７３】
図６および図７に示すように、中央に集中して送風する場合は、回転連結軸７を駆動手段４により回転させて、複数の風向変更板１１が吹出方向に向かうにしたがって距離が近づく位置になり、開口部２１の面積を小さくすると送風が絞り込まれて風速が増速して吹出される。
【００７４】
これにより、例えば中央に乾きにくい衣類が干されている場合は、風速が速い風が当たることで乾燥が促進されて、送風を絞り込むよりも乾燥の効果が高くなる。
【００７５】
図８および図９に示すように、左右方向の両側に分散して送風する場合は、回転連結軸７を駆動手段４により回転させて、複数の風向変更板１１が吹出方向に向かうにしたがって距離が遠くなる位置になり、送風が分散して風速は遅くなるが、広い範囲に風を当てられるようになる。
【００７６】
これにより、例えば衣類が左右全体に干されていて、どれも同じように乾く場合は、全体に風を当てたほうが効率よく乾くことになる。
【００７７】
（実施の形態１）
本発明の実施の形態１は、参考の形態１および参考の形態２と同一部分については同一番号を付し、詳細な説明は省略する。
【００７８】
図１０は本発明の実施の形態１の正面図、図１１は同断面図である。
【００７９】
まず実施の形態１の構成について説明する。
【００８０】
図１０および図１１に示すように、二つの風向変更手段は、左側風向変更手段１２および右側風向変更手段１３とで構成され、左側風向変更手段１２と右側風向変更手段１３は、回転軸５に垂直な面に対して対称に配置され、左側風向変更手段１２と右側風向変更手段１３は、それぞれ複数の風向変更板１１と一体であり、回転自在な回転連結軸７を備えている。また左側風向変更手段１２はその両端に保持部１４と中央保持部１５を備え、右側風向変更手段１３はその両端に保持部１６と中央保持部１７を備えている。
【００８１】
左側風向変更手段１２の保持部１４は回転連結軸７を回転するための駆動手段１８と連結され、左側風向変更手段１２の中央保持部１５は右側風向変更手段１３の中央保持部１７と連結されている。駆動手段１８を連結する保持部１４側は回転軸５に対して傾斜角度を備えて風向変更板１１が回転連結軸７に固定され、前記中央保持部１５側では回転軸５に対して略垂直に風向変更板１１が回転連結軸７に固定されている。
【００８２】
同様に右側風向変更手段１３の保持部１６は駆動手段１９と連結されていて、回転軸５に対して傾斜角度を備えて風向変更板１１が回転連結軸７に固定され、前記中央保持部１７側では回転軸５に対して略垂直に風向変更板１１が回転連結軸７に固定されている。
【００８３】
次に実施の形態１の動作について説明する。
【００８４】
中央に集中して送風する場合は、左側風向変更手段１２と右側風向変更手段１３の回転連結軸７を駆動手段１８および駆動手段１９により各々回転させて、複数の風向変更板１１が吹出方向に向かうにしたがって距離が近づく位置になり、送風が絞り込まれて風速が増速して吹出される。
【００８５】
これにより、例えば中央に乾きにくい衣類が干されている場合は、風速が速い風が当たることで乾燥が促進されて、送風を絞り込むよりも乾燥の効果が高くなる。
【００８６】
同様に左右に風向を集中したい場合は、左側風向変更手段１２と右側風向変更手段１３の回転連結軸７を駆動手段１８および駆動手段１９により各々回転させて、送風がすべて左方向または右方向に集中する。
【００８７】
これにより、例えば左側または右側に乾きにくい衣類が干されている場合は、風向を乾きにくい衣類に向けて送風することができる。
【００８８】
また、左側風向変更手段１２と右側風向変更手段１３は別々で動作できるため、それぞれ逆の回転方向に往復動作することができ、衣類に対して送風をいろいろな方向から当てることができ、乾燥を促進することができる。
【００８９】
（実施の形態２）
本発明の実施の形態２は、参考の形態１、参考の形態２および実施の形態１と同一部分については同一番号を付し、詳細な説明は省略する。
【００９０】
図１２は本発明の実施の形態２の断面図、図１３は同開口部の面積を小さくした状態を示す斜視断面図、図１４は同開口部の面積を大きくした状態を示す斜視断面図、図１５は同開口部を外側に向けた状態を示す斜視断面図、図１６は同開口部を中央に向けた状態を示す斜視断面図、図１７は同開口部を閉鎖した正面図である。
【００９１】
まず実施の形態２の構成について説明する。
【００９２】
図１２に示すように、複数の案内板６に連結する案内板駆動手段２０を備え、案内板駆動手段２０により複数の案内板６が対称に動作して、送風手段１から送り出される循環風の出口の開口部２１の面積が可変する構成となっている。
【００９３】
次に実施の形態２の動作について説明する。
【００９４】
例えば、図１３に示すように、衣類が乾燥しにくい場合は風速を上昇するため、開口部２１の面積を小さくするように複数の案内板６を動作する。
【００９５】
また、図１４に示すように、風速を減速して当たる範囲を拡大したい場合は、開口部２１の面積を大きくするように複数の案内板６を動作する。
【００９６】
また、図１２、図１５および図１６に示すように、例えば衣類を干す竿を２本にして、衣類の量を多く干したいときは、複数の案内板６を案内板駆動手段２０により同時に同じ回転の方向に動作して、風向を案内板６の回転する方向に変化させることで衣類全体に風が当たるようになる。
【００９７】
このとき、同時に駆動手段４を動作して風向変更手段３を動作させることもできる。
【００９８】
したがって、案内板駆動手段２０を往復可動すれば、複数の案内板６は一定の範囲を往復運動することができ、衣類に当たる風速を変化させることで衣類乾燥を促進することができる。
【００９９】
更に、衣類乾燥装置を使用しない場合は、複数の案内板６を図１７に示すように動作させて、開口部２１を閉じることで汚れの付着やごみの混入を防止することができる。
【０１００】
（実施の形態３）
本発明の実施の形態３は、参考の形態１、参考の形態２および実施の形態１から実施の形態２と同一部分については同一番号を付し、詳細な説明は省略する。
【０１０１】
図１８は本発明の実施の形態３の使用例を示す構造図である。
【０１０２】
まず実施の形態３の構成について説明する。
【０１０３】
衣類の表面温度を検知する放射温度検知手段２２（一例として赤外線センサ）を備え、放射温度検知手段２２により衣類の複数箇所の温度を検知できる構成である。
【０１０４】
次に実施の形態３の動作について説明する。
【０１０５】
放射温度検知手段２２を使用して、衣類の複数箇所の温度を検知することができ、例えば、測定した衣類の複数箇所の温度を比較して、衣類の温度が平均値よりも低いところがあれば、まだ濡れている衣類があると判断し、その場所に集中して風向を向けるものであり、衣類の温度の差が少ない場合（一例として±１度以内）は乾燥ムラがないと判断して全体に風向を向けることができる。
【０１０６】
（実施の形態４）
本発明の実施の形態４は、参考の形態１、参考の形態２および実施の形態１から実施の形態３と同一部分については同一番号を付し、詳細な説明は省略する。
【０１０７】
図１９は本発明の実施の形態４の使用例を示す構造図である。
【０１０８】
まず実施の形態４の構成について説明する。
【０１０９】
衣類の乾燥に利用する際に熱を与える加熱手段２３（一例としてセラミックヒータ）を備え、使用者が衣類の乾燥が終了するまでの目標終了時間及び運転開始を指示するための操作部２４を備え、操作部２４からの指示および放射温度検知手段２２の検知信号より衣類の乾燥状態を判断する判断手段２５を備え、判断手段２５により加熱手段２３の動作の有無を判断する構成となっている。
【０１１０】
次に実施の形態４の動作について説明する。
【０１１１】
濡れた複数の衣類の表面を放射温度検知手段２２により温度検知を行う。このとき複数箇所を検知することで衣類の表面温度と外気温度を比較して、一例として２度以上の温度差がある場合は乾燥していないと判断手段２５により判断を行う。そして、判断手段２５により乾燥していないと判断した場合は、加熱手段２３を動作させて室内温度を上昇させて、衣類の周りの空間の相対湿度を低減することで、乾燥を促進させることができる。
【０１１２】
（実施の形態５）
本発明の実施の形態５は、参考の形態１、参考の形態２および実施の形態１から実施の形態４と同一部分については同一番号を付し、詳細な説明は省略する。
【０１１３】
図２０は本発明の実施の形態５の使用例を示す構造図である。
【０１１４】
まず実施の形態５の構成について説明する。
【０１１５】
衣類乾燥装置の一部に換気手段２６を備えた構成をしている。
【０１１６】
次に実施の形態５の動作について説明する。
【０１１７】
換気手段２６（一例としてシロッコファンによる換気扇）を常時動作させて、濡れた衣類のある空間を換気することで、衣類が徐々に乾燥して湿気を空間に放出することで相対湿度が上昇することを防止でき、乾燥を促進できるものである。
【産業上の利用可能性】
【０１１８】
以上のように、本発明の浴室用衣類乾燥機は、吊るした状態の衣類をむらなく乾燥させるとともに、目標とする乾燥時間までに必要最小限の加熱量で乾燥させるものであり、洗濯乾燥室、サウナ、サンルーム等にも適用することができる。
【図面の簡単な説明】
【０１１９】
【図１】本発明の参考の形態１の使用例を示す構造図
【図２】同側断面図
【図３】同回転軸の方向から見た風向変更手段の側面図
【図４】同風向変更手段の左方向の風向変更状況を示す断面図
【図５】同右方向の風向変更状況を示す断面図
【図６】本発明の参考の形態２の中央に送風を集中させた状態を示す正面図
【図７】同断面図
【図８】同左右方向に送風を分散させた状態を示す正面図
【図９】同断面図
【図１０】本発明の実施の形態１の正面図
【図１１】同断面図
【図１２】本発明の実施の形態２の断面図
【図１３】同開口部の面積を小さくした状態を示す斜視断面図
【図１４】同開口部の面積を大きくした状態を示す斜視断面図
【図１５】同開口部を外側に向けた状態を示す斜視断面図
【図１６】同開口部を中央に向けた状態を示す斜視断面図
【図１７】同開口部を閉鎖した正面図
【図１８】本発明の実施の形態３の使用例を示す構造図
【図１９】本発明の実施の形態４の使用例を示す構造図
【図２０】本発明の実施の形態５の使用例を示す構造図
【図２１】従来の衣類乾燥装置の構成を示す断面図
【図２２】同風向変更手段と駆動手段の構成を示す斜視図
【符号の説明】
【０１２０】
１    送風手段
２    制御手段
３    風向変更手段
４    駆動手段
５    回転軸
６    案内板
７    回転連結軸
８    保持部
９    保持部
１０  支持部
１１  風向変更板
１２  左側風向変更手段
１３  右側風向変更手段
１４  保持部
１５  中央保持部
１６  保持部
１７  中央保持部
１８  駆動手段
１９  駆動手段
２０  案内板駆動手段
２１  開口部
２２  放射温度検知手段
２３  加熱手段
２４  操作部
２５  判断手段
２６  換気手段
【図１】
0005151515.tif 000002
【図２】
0005151515.tif 000003
【図３】
0005151515.tif 000004
【図４】
0005151515.tif 000005
【図５】
0005151515.tif 000006
【図６】
0005151515.tif 000007
【図７】
0005151515.tif 000008
【図８】
0005151515.tif 000009
【図９】
0005151515.tif 000010
【図１０】
0005151515.tif 000011
【図１１】
0005151515.tif 000012
【図１２】
0005151515.tif 000013
【図１３】
0005151515.tif 000014
【図１４】
0005151515.tif 000015
【図１５】
0005151515.tif 000016
【図１６】
0005151515.tif 000017
【図１７】
0005151515.tif 000018
【図１８】
0005151515.tif 000019
【図１９】
0005151515.tif 000020
【図２０】
0005151515.tif 000021
【図２１】
0005151515.tif 000022
【図２２】
0005151515.tif 000023